(57)【要約】【課題】再生可能エネルギーとして風力と木質バイオマスを利用した地域分散型の発電法であって、発電効率を高めるとともに、外部に供給する電力を調整可能にするための方法に関する。【解決手段】風力発電装置、木質バイオマスのガス化し、ガスを燃焼して発電する装置、および水溶液の活性化と活性化された水溶液の電解、水素発電装置を併設して、風力発電された電力の１部を、水溶液の活性化・活性化された水溶液の電解装置に供給し、副生した酸素ガスを、木質バイオマスのガス化装置、およびガスを燃焼して発電する装置で用いる。水溶液の活性化・活性化された水溶液の電解装置は、水溶液の活性化装置、電解による水素、酸素の発生装置、その生成物である水素ガスの保留装置、その生成物である酸素ガスの保留装置からなり、装置Ｂの水溶液を装置Ａに循環使用する。水溶液に、テラヘルツ波を発生する鉱物を含むセラミックス成型物を浸漬して水を活性化する。【選択図】図１
2018002751.tif 000002
【特許請求の範囲】
【請求項１】
風力発電装置、木質バイオマスをガス化し、ガスを燃焼して発電する装置、および水溶液の活性化と活性化された水溶液の電解、水素発電装置を併設して、風力発電された電力の１部を、水溶液の活性化・活性化された水溶液の電解装置に供給し、得られた酸素ガスを、木質バイオマスのガス化装置、および／あるいはガスを燃焼して発電する装置で用いることを特徴とする地域分散型発電の効率向上方法。
【請求項２】
請求項１において、木質バイオマスをガス化し、ガスを燃焼して発電された電力の１部を、水溶液の活性化・活性化された水溶液の電解装置に供給し、得られた酸素ガスを、木質バイオマスのガス化装置、および／あるいはガスを燃焼して発電する装置で用いることを特徴とする地域分散型発電の効率向上方法。
【請求項３】
請求項１又は請求項２において、水溶液の活性化・活性化された水溶液の電解装置として、水溶液の活性化装置（装置Ａ）、電解による水素ガス、酸素ガスの発生装置（装置Ｂ）、その生成物である水素ガスの貯留装置（装置Ｃ）、その生成物である酸素ガスの貯留装置（装置Ｄ）からなり、装置Ｂで発生した水溶液を装置Ａに循環使用することを特徴とする地域分散型発電の効率向上方法。
【請求項４】
請求項１乃至請求項３のいずれかにおいて、装置Ｂから装置Ａに循環使用する水溶液の浄化のため、白州土を含む粉あるいは成型物を添加することを特徴とする地域分散型発電の効率向上方法。
【請求項５】
請求項４において、白州土は、２００〜１１００°Ｃの温度範囲で加熱処理したものとすることを特徴とする地域分散型発電の効率向上方法。
【請求項６】
請求項１乃至請求項３のいずれかにおいて、水溶液の活性化（装置Ａ）あるいは／および電解による水素ガス、酸素ガスの発生装置（装置Ｂ）に、テラヘルツ波を発生する鉱物を含むセラミックス成型物を浸漬して水溶液を活性化することを特徴とする特徴とする地域分散型発電の効率向上方法。
【請求項７】
請求項６において、テラヘルツ波を発生する鉱物として、原子番号が５７以上の元素が１種あるいはそれ以上含まれているもの、とくに好ましくはランタノイド系元素、アクチノイド系元素が含まれているものを用いることを特徴とする特徴とする地域分散型発電の効率向上方法。
【請求項８】
請求項６又は請求項７において、テラヘルツ領域波を発生するものとして天照石、モナザイト、甦生石のいずれか、あるいはその混合物を用いること特徴とする特徴とする地域分散型発電の効率向上方法。
【請求項９】
請求項１において、植物栽培用の温室を併置し、発電時の炭酸ガス含有の廃ガスを、温室内に供給することを特徴とする地域分散型発電の効率向上方法。
【発明の詳細な説明】
【技術分野】
【０００１】
本発明は再生可能エネルギーを利用した地域分散型の発電を効率的に行うための方法に関する。
【背景技術】
【０００２】
今日、化石燃料や原子力に依存する大規模発電法がいろいろな問題に直面している中、地域分散型の、再生可能エネルギーを利用した発電法の拡大が求められている。しかし、再生可能エネルギーを利用した発電の各方法は、実用的にはエネルギー効率、経済性などの解決すべき課題を抱えている。たとえば、風力は有効利用が期待されるエネルギー源の１つであるが、一般的にその出力が風速、風向などの影響を受けるので、出力を制御しにくいこと、装置が故障しやすいことなどの欠点である。風力発電方式で、従来型のプロペラ型よりも安定してエネルギーを得るための方法の１つとして特許文献１に示された風洞型風力発電がある。これは、基礎から鉛直方向に立設した筒状部材からなる風洞と、前記筒状部材の周壁から法線方向に延出した複数の集風板と、該集風板相互間及び筒状部材の上端開口を閉塞する天板と、前記筒部材の周壁に設けられて前記集風板によって集約された風を前記風洞内に導く複数の風取込口と、該風取込口に設けられて筒状部材外部から筒状部材内部への風の流通のみを許す逆流防止手段と、前記風洞の一端部から吹き出す風によって駆動されるタービンと、該タービンにより駆動される発電機とを備えた風力発電装置であるが、
（１）風速の範囲が広い。
（２）風向の対応性が大きい
（３）破損などの危険性が少ない
などの特徴である。しかし、この方式だけでは発電量は風速の影響を受けることには変わりがなく、発電量を制御できる効率的な方法が望まれている。
【０００３】
地球温暖化を抑制する上で考えられる方法の１つは、森林が光合成による炭酸ガスの吸収能力を最大の状態に保つように適度に伐採、手入れし、得られた木質バイオマスをエネルギー源として効率的に有効利用することである。しかし、現時点では木質の地域分散型発電用としての利用は課題を残している。すなわち、大型の火力発電所の発電方式である完全燃焼・スチーム発電法のミニチュア方式ではスケール効果の点から不利である。それに対して、地域分散型で期待できる方式の１つが、木質をガス化して、そのガスを浄化してからガスエンジン（ガスタービン）などの方式で燃焼して発電する方式がある。その方法の１つは、特許文献２の木質のガス化法である。この方法では、他の諸方式（発電効率が２０％以下のものが多い）に比べて発電効率を２５〜３５％と高くできるが、それでも従来の大型火力発電所の発電効率；４５〜５０％に比べて低いということが、普及が遅れている理由である。
【０００４】
木質ガス化・ガスエンジン（ガスタービン）発電方式のエネルギー利用効率および経済性を向上させるための切り口としては次のようなことが挙げられる。
（１）従来法ではガス化のための酸素源としては空気が用いられているため、得られたガスは約５０％の窒素ガスを含んでいる。そのため、生成したガスの発熱量が低く、また生成ガスを一旦冷やして清浄化し、再度燃焼してガスエンジンで発電する場合の顕熱ロスが増え、燃焼温度を高くできず、発電効率にも悪影響を与えている。ガスの窒素濃度を下げるためにはガス化用、あるいはガスエンジンに送るための燃焼用に空気に酸素ガス付加したものを用いることが考えられるが、地域分散型で空気からの酸素濃縮装置（深冷法など）を設置することも、また酸素ガスを外部から購入することは経済的には成り立ちにくいのが現状である。
（２）操業は連続的に行いながら、電力需要の少ない時間帯は電力供給を減らし、電力需要が多い時間帯の電力供給量を増やせるようにする。
【０００５】
これまでも水力発電所では夜間などの電力余剰時間帯の電力を用いて楊水し、電力の需要量が大きい時に水力発電するという方法が、電力変換効率は高くないが、用いられてきた。また、火力、原子力、太陽光、風力などの発電に適用する方法として、余剰時の電力を一旦、水素ガスに変換して、その水素ガスを用いて電力が必要な時に、燃料電池によって電力に変換する方法があるが、この場合にも変換効率が低いことが問題であった。これに対して、特許文献３〜４においては、触媒を備えた第１槽と、第１の隔膜に仕切られた、第１の正電極を備えた第１の区画と第１の負電極を備えた第２の区画とを有する第２槽とからなり、前記第１槽には酸性電解液が注入され、前記第２槽の第１区画には純水が供給され、前記第２槽の第２区画にはアルカリ性電解液が注入され、前記第１槽と前記第２槽の第１区画の間には第１配管を備え、電力エネルギーが前記第１の正、負の電極に印加されると、前記第１槽において水素ガスと純水が発生し、前記第２槽の第２区画において水素ガスが発生し、前記第２槽の第１区画において酸素ガスと酸性電解液が発生し、前記酸性電解液が前記第２槽の第１区画から前記第１配管を通じ前記第１槽に送られ、前記酸性電解液と前記アルカリ性電解液が、各々ｐＨ１〜４とｐＨ９〜１４の電解液であることを特徴とする水素発生装置を用いる方法が示されている。
【先行技術文献】
【特許文献】
【０００６】
【特許文献１】特開２００６−３４８８６６号公報
【特許文献２】再表２００８−０４４４９９号公報
【特許文献３】特開２００６−２１７６９８号公報、
【特許文献４】特開２００９−０４１０８６号公報
【発明の概要】
【発明が解決しようとする課題】
【０００７】
本発明は、再生可能エネルギーとして風力と木質バイオマスを利用した地域分散型の発電法であって、発電効率を向上させるための方法に関する。
【課題を解決するための手段】
【０００８】
本発明の課題を解決するための具体的手段の第１は、風力発電装置、木質バイオマスのガス化し、ガスを燃焼して発電する装置、および水溶液の活性化と活性化された水溶液の電解、水素発電装置を併設して、風力発電された電力の１部を、水溶液の活性化・活性化された水溶液の電解装置に供給し、副生した酸素ガスを、木質バイオマスのガス化装置、および／あるいはガスを燃焼して発電する装置で用いることを特徴とする地域分散型発電法。
【０００９】
具体的手段の第２は、０００８において、木質バイオマスをガス化し、ガスを燃焼して発電された電力の１部を、水溶液の活性化・活性化された水溶液の電解装置に供給し、得られた酸素ガスを、木質バイオマスのガス化装置、および／あるいはガスを燃焼して発電する装置で用いることを特徴とする地域分散型発電法。
【００１０】
具体的手段の第３は、０００８乃至０００９において、水溶液の活性化・活性化された水溶液の電解装置として、水溶液の活性化装置（装置Ａ）、電解による水素ガス、酸素ガスの発生装置（装置Ｂ）、その生成物である水素ガスの貯留装置（装置Ｃ）、その生成物である酸素ガスの貯留装置（装置Ｄ）からなり、装置Ｂで発生した水溶液を装置Ａに循環使用することである。
【００１１】
具体的手段の第４は、０００８乃至００１０において、装置Ｂから装置Ａに循環使用する水溶液の浄化のため、白州土を含む粉あるいは成型物を添加することである。
【００１２】
具体的手段の第５は、００１１で用いる白州土は、２００〜１１００°Ｃの温度範囲で加熱処理したものとすることである。
【００１３】
具体的手段の第６は、０００８乃至００１０おいて、水溶液の活性化（装置Ａ）、あるいは／および電解による水素ガス、酸素ガスの発生装置（装置Ｂ）に、テラヘルツ波を発生する鉱物を含むセラミックス成型物を浸漬して水溶液を活性化することである。
【００１４】
具体的手段の第７は、００１３においてテラヘルツ波を発生する鉱物として、原子番号が５７以上の元素が１種あるいはそれ以上含まれているもの、とくに好ましくはランタノイド系元素、アクチノイド系元素が含まれているものを用いることである。
【００１５】
具体的手段の第８は、００１３乃至００１４において、テラヘルツ領域波を発生するものとして天照石、モナザイト、甦生石のいずれか、あるいはその混合物を用いることである。
【００１６】
具体的手段の第９は、０００８において、植物栽培用の温室を併置し、発電時の炭酸ガス含有の廃ガスを、温室内に供給することである。
【発明の効果】
【００１７】
０００８乃至００１０の方法によって、時間的、量的に価値の低い発電量をシステム内で有効利用して、効率的に水素ガスおよび酸素ガスを製造し、それをシステム内で有効利用することで、総合的な発電効率および経済性を高めることができる。００１１，００１２の方法によって、外部への液の排出によらずに長期間稼動時の水溶液の汚染進行の問題を回避することができる。００１３乃至００１５の方法によって、水の活性化を進め、電解による水素ガスおよび酸素ガスの発生量を増加することができる。００１６の方法によって発電に用いた燃焼排ガスについても有効利用が可能になる。
【図面の簡単な説明】
【００１８】
【図１】本発明のプロセスフローの説明図である。
【発明を実施するための形態】
【００１９】
本発明においては風力発電装置としては、０００２で述べた特徴を有することから、風洞型のものが望ましい。風力発電の欠点である発電量が自然条件の影響を受けるという問題を、本発明においては、０００５で述べた、水溶液の活性化・活性化された水溶液の電解装置を併設することによって解決する。すなわち、発電量の余剰分を、水溶液を電気分解して、活性化、あるいは／および水素ガスと酸素ガスを製造することである。それを効率的に実施するために必要な装置は、水溶液の活性化装置（装置Ａ）、電解による水素、酸素の発生装置（装置Ｂ）、その生成物である水素ガスの保留装置（装置Ｃ）、その生成物である酸素ガスの保留装置（装置Ｄ）からなり、装置Ｂの水溶液は装置Ａに循環使用される。そのために、たとえば特開２００６−２１７６９８号公報、特開２００９−０４１０８６号公報に示されているものを用いる。また、それによって得られた酸素ガスは、貯留タンクを経て、００２３で述べる木質バイオマスのガス化装置あるいは／およびそのガスを燃焼して発電する装置で使用する空気に加えられて用いられる。また、それによって得られた水素ガスを用いて水素電池で発電した後のガスが、水素ガスを含んでいる場合は、同じく００２３で述べる質をガス化させて得られたガスに加えられて、燃焼してガスエンジン（ガスタービン）に供給して発電量を増やすのに用いることもできる。
【００２０】
０００１９で述べた装置Ａは、余剰電力を利用して水溶液を活性化して、アルカリ性電解液と１部水素ガスを得ることを目的にしている。得られ水素ガスは水素ガスの貯留装置（装置Ｃ）に送られる。なお、水溶液として海水を使用した場合には塩素ガスを生成するので、その貯蔵、利用設備が付設される。塩素ガスの生成を好まない場合は、水溶液として、苛性ソーダ溶液を用いる。装置Ｂは、装置Ａからのアルカリ性の電解液と、発電機から送られてくる電力を直流電力に変換したものを受けて、水素ガスと酸素ガスを製造するためのものである。その構成と機能の１例は次の通りである。水溶液を納める槽は２つ（Ｂ−１、Ｂ−２）からなり、Ｂ−１はイオン交換膜（陽イオンを通さない）によって２つに仕切られている（Ｂ−１−１、Ｂ−１−２）。Ｂ−１−１には陰極、Ｂ−１−２には陽極が設置され、直流電力が印加される。装置Ｂ−１−１には装置Ａからアルカリ性電解液が供給され、陰イオンはイオン交換膜を通過して装置Ｂ−１−２に移動する。Ｂ−１−１では電解によって水素ガスが発生し、水素ガスは装置Ｃに送られる。一方、装置Ｂ−１−２では、酸素ガスが発生し、酸素ガスは装置Ｄに送られる。装置Ｂ−１−２では、イオン交換膜の働きで、Ｈイオンが蓄積される。このＨイオンを蓄積した液は、装置Ｂ−２に送られ、そこに設置されている触媒によって水素ガスに変換され、発生した水素ガスは装置Ｃに送られる。装置Ｂ−１−２の排出液は基本的には純水であるので、装置Ｂ−１，装置Ａなどに供給して各槽の水溶液のイオン濃度の調整に用いる。このように装置Ｂ−１−１では装置Ｂ−１−２で発生した水素イオンを受け入れて水素ガスに、装置Ｂ−１−２は装置Ｂ−１−１からＯＨイオンを受け入れて酸素ガスを発生して、水素イオンを蓄積して、それを装置Ｂ−２に供給する。装置Ｂ−２は、Ｈイオンを含む液を受け入れて、触媒の作用で水素ガスを発生する。このように機能を分担することで、電力消費量あたりの発生する水素ガス、酸素ガスの量を多くできる。水素ガスからの発電は、電極を隔てて、水素ガスと、空気を供給することによって行われる。
【００２１】
本発明において、水素ガス、酸素ガスの発生効率をさらに高めるための方法は、水溶液の活性化装置（装置Ａ）、電解による水素、酸素の発生装置（装置Ｂ）の水溶液にテラヘルツ波を加えるために、液体中にセラミックスボールのようなセラミックス成型物を浸漬することである。テラヘルツ波とは、周波数が０．１〜１０ＴＨｚの領域の電磁波で、電波と、光の一種である赤外線の中間の領域にあり、光と電波の性質を併せもっている。これを照射することによって、分子を振動させることによって活性化することができる。本発明はそれによって、電解による発生する水素ガス、酸素ガスの量を増やすことができる。
テラヘルツ波の発生法としては、ジャオロトロン、後進波管、遠赤外線レーザー、量子カスケードレーザー、自由電子レーザー、シンクロトロン放射、フォトミキシングソースなどがある。また、いくつかの物質からも発生するが、ほとんどの場合にきわめて微弱である。そこで、本発明では、原子番号が５７以上の元素が１種あるいはそれ以上含まれている鉱物、とくに好ましくは、ランタノイド系元素、アクチノイド系元素が２種類以上含まれている鉱物を含む微粉に、シリカ分を主体とする粗めの粉を混合してボンドを加えて２５０℃以上、６００℃以下の温度で焼成したもの径が１〜４ｍｍに砕いたものを炭酸カルシウム分を主成分とするカルシウム化合物に、重量比で２〜６％配合する。これによって、元素から発生する電磁波が相互作用することによって、効率的にテラヘルツ波を発生させることができる。
【００２２】
水溶液は循環使用を続けるうちに、水分の蒸発などによるナトリウムや塩素の濃縮などが進行して、電解効率に悪影響を及ぼす。また、何らかの事情で系内の水溶液を外部に排出しなければならなくなった場合に、外部環境に悪影響を及ぼすおそれがある。本発明ではその問題を防ぐために、循環使用する水溶液に含まれる成分濃度が許容値を超えるおそれが生じた場合に、その成分調整を、白州土を含む粉あるいは成型物を加えることによって行う。この方法は、なんらかの事情で、循環使用していた水溶液を外部に排出しなければならならなくなった場合にも、その含まれている成分濃度を低下するのに用いることができる。白州土とは火山灰の一種で、日本では阿蘇山の麓の鹿児島県地方などに産する鉱
物である。この一帯は白州大地と呼ばれ原料は豊富に存在する。吸着力の高い鉱物で、本発明では、この高い吸着力を利用する。白州土は、粉末、微粒子（０．５ミリ位から５ミリ程度）、採石クラッシュ状態、あるいは成型して２００〜１１００℃の温度範囲で加熱・焼成したものであってもよい。その添加量は、除去しようとする物質の量に応じて設定する。なお、この白州土を麦飯石に置き換えることも可能である。麦飯石は、石英斑岩の一種で熱水作用、風化作用などを受け、多孔質で吸着作用がある、淡黄色のものである。
【００２３】
つぎに本発明において、木質バイオマスのガス化・ガスエンジン発電方式でのエネルギー利用効率および経済性を向上させるための考え方は次の通りである。
（１）木質のガス化によって得られるガスの窒素ガス濃度を下げるために、地域分散型で酸素ガスを経済的に製造できるプロセスを組み合わせる。
（２）外部に供給することが経済的な効果が小さい深夜の発電量を有効利用する。
木質原料のガス化装置としては、固定床型、流動床型、ロータリーキルン型などの種々の炉形式がある。この中で、木質原料として、木質チップ、ペレット、ブリケットやその他の種類（竹、草など）、種々の形状のバイオマス原料を用いることができ、タール生成に起因するトラブルなどを抑制できるという点から、固定床型がもっとも適している。必要に応じて粒度調整し、またシステム内の余熱で乾燥したバイオマス原料を装入し、酸素を含むガスを吹きこんで部分燃焼し、炉内温度をたとえば７００℃以上にしてガス化する。酸素を含むガスとしては、従来法では空気を用い、得られたガスは、たとえばＣＯ＝２２±２％、Ｈ２＝２２±２％、ＣＨ３＝１〜２％、ＣＯ２＝８〜１０％、残りＮ２のガスであるが、本発明では、この空気に酸素ガスを加えたものを加えることで、窒素ガス濃素を下げて、発熱量を高めることができる。ガス化されたものは、一旦、約７０℃まで冷却して水分の凝集分離、タール除去、未撚分、灰分などの分離を行ったのち、燃焼して、たとえばガスエンジン（ガスタービン）方式で発電する。
【００２４】
木質バイオマス発電でたとえば深夜もそのまま発電を続けるのも１つの方法であるが、より効率的には、２３〜７時の間の発電量は図１に示すように、水溶液の活性化・活性化された水溶液の電解装置に供給して、得られた酸素ガスは、ガス化、あるいは／および発電装置で用い、水素は、電力が必要な時間帯に水素発電に用いて外部に電力を供給する方法もある。
【００２５】
なお、発電に用いられたガスは、除塵などの必要な排ガス処理を行って、外部に放出することもできるが、本発明では、その排ガスをガスのまま利用する方法として、近接地帯に、植物栽培用の温室を併置し、パイプを通して温廃ガスを供給できるようにし、暖房が必要な時は廃ガスをその熱源として有効利用する。さらに、太陽があたっている時には、温室内に放散された炭酸ガス含有ガスは栽培物の光合成反応を促進することに用いることができる。
【００２６】
本発明では地域分散型発電の意義を、再生可能エネルギーを効率的に用いて、特に電力消費量が多い時間帯の発電量を増やし、コントロールされた状態で外部に供給することとしている。その観点から、風力発電の変動分、木質ガス化発電の夜間部分は、水溶液の活性化・活性化された水溶液の電解装置に供給して、電力供給量を増やすことが望まれる時間帯に発電に有効に利用すること、さらにその副産物である、酸素ガスは、木質バイオマスガス化、発電装置で、空気に置換することによってエネルギー効率を上げることに結び付けている。
【００２７】
木質バイオマス利用の発電方法として、００２３においては、ガス化、ガスエンジン（ガスタービン）方式について述べたが、木質燃焼による発電方法がスチーム法の場合にも、酸素ガスを燃焼用空気に混合することによって、燃焼温度を上げて、発電効率を上げることが可能である。
【実施例１】
【００２８】
平均出力８ＭＷの風洞発電装置で、時間あたりの出力が１０ｋＷｈを越える時、および２３時〜７時の間の出力は、００２０で述べた水溶液の活性化と活性化された水溶液の電解、水素発電装置に供給して、得られた水素ガスは一旦タンクに貯めて７時〜２３時の水素発電に、また、得られた酸素ガスの６５％は００２３で述べた木質バイオマスのガス化装置で空気に混ぜて使用し、また、残りの３５％はガスエンジン発電装置で空気に混ぜて使用した。水溶液の活性化装置に００２１で述べたテラヘルツ波発生物を加えない場合には、水溶液の活性化と活性化された水溶液の電解装置に加えた電力１００に対して、３５の発電量が得られた。また、ガスエンジンでの発電量を７％増加することができた。また、水溶液の活性化装置に００２１で述べたテラヘルツ波発生物（ランタノイド系元素を２．５重量％、アクチノイド系元素を１．４が重量％含む混合物を硅石分と混合して直径５ｍｍの粒に成型したものを６５０℃で焼成したもの）を加えた場合には、水溶液の活性化と活性化された水溶液の電解装置に加えた電力１００に対して、４１の発電量が得られた。また、ガスエンジンでの発電量を１０％増加することができた。
【実施例２】
【００２９】
００２８に述べた方法に加えて、木質バイオマスのガス化、ガスエンジン発電法で得られた電力のうち、２３時〜７時の間に得られた電力は、００２０で述べた水溶液の活性化と活性化された水溶液の電解、水素発電装置に供給して、得られた水素ガスは一旦タンクに貯めて７時〜２３時の水素発電に、また、得られた酸素ガスの５５％は００２３で述べた木質バイオマスのガス化装置で空気に混ぜて使用し、また、残りの４５％はガスエンジン発電装置で空気に混ぜて使用した。水溶液の活性化装置に００２１で述べたテラヘルツ
波発生物（ランタノイド系元素を２．５重量％、アクチノイド系元素を１．４が重量％含む混合物を硅石分と混合して直径５ｍｍの粒に成型したものを６５０℃で焼成したもの）を加えた。これによって、７時〜２３時の発電量を、２４時間平均の発電量よりも１８％増加することができた。
【実施例３】
【００３０】
実施例１、実施例２において装置Ｂ−１から排出される液を、鹿児島県産の白州土を５ｍｍ径の粒に成型して最高温度７５０℃で２時間焼成したものを充填した層を通過させることによって、ナトリウム濃度を１／５、塩素濃度を１／８に低下することができ、外部に液を排出せずトラブルなく、操業を続けることができた。
【実施例４】
【００３１】
ガス化発電設備から０．５〜１．２ｋｍの所に野菜栽培用の温室を設け、ガスエンジン法で発電したあとの排ガスをパイプを通して供給し、とくに８時〜１２時の間は、ガスを温室内に放散して炭酸ガス濃度を、９００〜１２００ｐｐｍにした、これによって、暖房のためのオイル使用をゼロにできるとともに、収穫量を２５％増加することができた。
【産業上の利用可能性】
【００３２】
本発明は、地域分散型で、再生可能エネルギーである木質バイオマスと風力を利用して、電力が必要とされる時間帯に、効率に電力を供給することに用いることができる。
【図１】
2018002751.tif 000003